(57)【特許請求の範囲】
【請求項１】
基地局による自己同期のための方法であって、
前記基地局によって、ワイヤレス通信デバイスにネットワーク情報を送信することと、ここで前記ネットワーク情報が第１の期間を示し、前記第１の期間が前記基地局によるサイレンスの期間であり、そして前記基地局が現在の階層を有し、
前記基地局によって、前記第１の期間の間に同期信号を監視することを備え、ここで同期信号を監視することは送信を行わない、
前記基地局によって、第２の期間に同期信号を送信することを備え、ここで前記第２の期間が前記現在の階層以下の階層を有する基地局が同期信号を送信するために指定されたスロットを備える、方法。
【請求項２】
前記第１の期間が、前記現在の階層以下の階層を有する基地局が同期信号を監視するために指定されたスロットを備える、請求項１に記載の方法。
【請求項３】
前記ネットワーク情報が、マルチメディアブロードキャスト単一周波数ネットワークサブフレーム宣言を備える、請求項１に記載の方法。
【請求項４】
同期ノードから共通参照信号を受信することであって、前記基地局が、トラッキングのために前記共通参照信号を使用する、受信することをさらに備える、請求項３に記載の方法。
【請求項５】
前記基地局が現在の階層を有し、前記方法が、前記現在の階層以下の階層のためのマルチメディアブロードキャスト単一周波数ネットワークとして宣言されたサブフレームにおいて共通参照信号をトラッキングすることを更に備える、請求項３に記載の方法。
【請求項６】
同期信号をサーチすることと、
前記同期信号が獲得されたかどうかを決定することと、
前記同期信号が獲得された場合、前記同期信号に基づいて、前記現在の階層を決定することと
をさらに備える、請求項１に記載の方法。
【請求項７】
前記ネットワーク情報が、前記サイレンスの期間の間、不連続受信モードに入るよう前記１つまたは複数のワイヤレス通信デバイスに命令するメッセージを備える、請求項１に記載の方法。
【請求項８】
前記ネットワーク情報が、前記ワイヤレス通信デバイスのためのスリープ時間を備える、請求項７に記載の方法。
【請求項９】
前記ネットワーク情報が、前記基地局が自己同期を実行しているときの１つまたは複数のサブフレームを識別することを備える、請求項１に記載の方法。
【請求項１０】
前記ネットワーク情報がサブフレームインデックスを備え、ここで前記サブフレームインデックスが、前記基地局が自己同期を実行しているときの１つまたは複数のサブフレームを暗黙的に示している、請求項１に記載の方法。
【請求項１１】
同期信号を監視することが同期ソースを時間トラッキングすることを備え、前記同期ソースを時間トラッキングしている間、周波数誤差補正を実行することをさらに備える、請求項１に記載の方法。
【請求項１２】
前記ネットワーク情報を送信することが、ディープフェードを模擬するために、電力を徐々に減少させ、次に前記電力を徐々に増加させることを備える、請求項１に記載の方法。
【請求項１３】
前記ネットワーク情報を送信することが、スロットの最後の２つの直交周波数分割多重シンボル上のプライマリ同期信号を使用して自己同期を達成しながら、同時に前記ワイヤレス通信デバイスに共通参照信号を送信することを備える、請求項１に記載の方法。
【請求項１４】
前記ネットワーク情報を送信することが、スロットの最後の２つの直交周波数分割多重（ＯＦＤＭ）シンボル上のセカンダリ同期信号を使用して自己同期を達成しながら、同時に前記ワイヤレス通信デバイスに共通参照信号を送信することを備える、請求項１に記載の方法。
【請求項１５】
前記サイレンスの期間が、ネットワークによって調整される、請求項１に記載の方法。
【請求項１６】
自己同期のために構成されたワイヤレスデバイスであって、
プロセッサと、
前記プロセッサと電子通信するメモリと、
前記メモリ内に記憶された命令であって、前記命令は、前記プロセッサによって実行可能であり、
ワイヤレス通信デバイスにネットワーク情報を送信することと、ここで前記ネットワーク情報が第１の期間を示し、前記第１の期間が前記ワイヤレスデバイスによるサイレンスの期間であり、前記ワイヤレスデバイスが現在の階層を有し、
前記第１の期間の間に同期信号を監視することと、ここで同期信号を監視することは送信を行わない、
第２の期間において同期信号を送信することを実行可能であり、ここで前記第２の期間が前記現在の階層以下の階層を有する基地局が同期信号を送信するために指定されたスロットを備える、命令である
ワイヤレスデバイス。
【請求項１７】
前記第１の期間が、前記現在の階層以下の階層を有する基地局が同期信号を監視するために指定されたスロットを備える、請求項１６に記載のワイヤレスデバイス。
【請求項１８】
前記ネットワーク情報が、マルチメディアブロードキャスト単一周波数ネットワークサブフレーム宣言を備える、請求項１６に記載のワイヤレスデバイス。
【請求項１９】
前記命令が、同期ノードから共通参照信号を受信することを更に実行可能であり、ここで前記ワイヤレスデバイスはトラッキングのために前記共通参照信号を使用する、請求項１８に記載のワイヤレスデバイス。
【請求項２０】
前記ワイヤレスデバイスが現在の階層を有し、ここで前記命令が、前記現在の階層以下の階層のためのマルチメディアブロードキャスト単一周波数ネットとして宣言されたサブフレームにおいて共通参照信号をトラッキングすることをさらに実行可能である、請求項１６に記載のワイヤレスデバイス。
【請求項２１】
前記命令が、
同期信号をサーチすることと、
前記同期信号が獲得されたかどうかを決定することと、
前記同期信号が獲得された場合、前記同期信号に基づいて、前記現在の階層を決定することと
をさらに実行可能である、請求項１６に記載のワイヤレスデバイス。
【請求項２２】
前記ネットワーク情報が、前記サイレンスの期間の間、不連続受信モードに入るよう前記１つまたは複数のワイヤレス通信デバイスに命令するメッセージを備える、請求項１６に記載のワイヤレスデバイス。
【請求項２３】
前記ネットワーク情報が、前記ワイヤレス通信デバイスのためのスリープ時間を備える、請求項２２に記載のワイヤレスデバイス。
【請求項２４】
前記ネットワーク情報が、前記ワイヤレスデバイスが自己同期を実行しているときの１つまたは複数のサブフレームを識別することを備える、請求項１６に記載のワイヤレスデバイス。
【請求項２５】
前記ネットワーク情報がサブフレームインデックスを備え、ここで前記サブフレームインデックスは、前記ワイヤレスデバイスが自己同期を実行しているときの１つまたは複数のサブフレームを暗黙的に示す、請求項１６に記載のワイヤレスデバイス。
【請求項２６】
前記命令が、周波数誤差補正を実行することをさらに実行可能である、請求項１６に記載のワイヤレスデバイス。
【請求項２７】
前記ネットワーク情報を送信することが、ディープフェードを模擬するために、電力を徐々に減少させ、次に前記電力を徐々に増加させることを備える、請求項１６に記載のワイヤレスデバイス。
【請求項２８】
前記ネットワーク情報を送信することが、スロットの最後の２つの直交周波数分割多重シンボル上のプライマリ同期信号を使用して自己同期を達成しながら、同時に前記ワイヤレス通信デバイスに共通参照信号を送信することを備える、請求項１６に記載のワイヤレスデバイス。
【請求項２９】
前記ネットワーク情報を送信することが、スロットの最後の２つの直交周波数分割多重（ＯＦＤＭ）シンボル上のセカンダリ同期信号を使用して自己同期を達成しながら、同時に前記ワイヤレス通信デバイスに共通参照信号を送信することを備える、請求項１６に記載のワイヤレスデバイス。
【請求項３０】
前記サイレンスの期間が、ネットワークによって調整される、請求項１６に記載のワイヤレスデバイス。
【請求項３１】
自己同期のために構成されたワイヤレスデバイスであって、
ワイヤレス通信デバイスにネットワーク情報を送信するための手段であって、前記ネットワーク情報が、第１の期間を示し、前記第１の期間が、前記ワイヤレスデバイスによるサイレンスの期間であり、そして前記ワイヤレスデバイスが現在の階層である、手段と、
前記第１の期間の間、同期信号を監視するための手段であって、同期信号の監視することは送信を行わない、手段と
第２の期間において同期信号を送信するための手段であって、前記第２の期間が、前記現在の階層以下の階層を有する基地局が同期信号を送信するために指定されたスロットを備えている手段と
を備えるワイヤレスデバイス。
【請求項３２】
前記第１の期間が、前記現在の階層以下の階層を有する基地局が同期信号を監視するために指定されたスロットを備える、請求項３１に記載のワイヤレスデバイス。
【請求項３３】
前記ネットワーク情報が、マルチメディアブロードキャスト単一周波数ネットワークサブフレーム宣言を備える、請求項３１に記載のワイヤレスデバイス。
【請求項３４】
基地局による自己同期のために用いられ、命令を格納するコンピュータ可読記憶媒体であって、前記命令が、
前記基地局により、ワイヤレス通信デバイスにネットワーク情報を送信するためのコードと、ここで、前記ネットワーク情報が、第１の期間を示し、前記第１の期間が、前記基地局によるサイレンスの期間であり、そして前記基地局が現在の階層である、
前記基地局により、前記第１の期間の間、同期信号を監視するためのコードと、ここで同期信号の監視することは送信を行わない、
前記基地局により、第２の期間において同期信号を送信するためのコードと、ここで前記第２の期間が、前記現在の階層以下の階層を有する基地局が同期信号を送信するために指定されたスロットを備えている、
コンピュータ可読記憶媒体。
【請求項３５】
前記第１の期間が、前記現在の階層以下の階層を有する基地局が同期信号を監視するために指定されたスロットを備える、請求項３４に記載のコンピュータ可読記憶媒体。
【請求項３６】
前記ネットワーク情報が、マルチメディアブロードキャスト単一周波数ネットワーク（ＭＢＳＦＮ）サブフレーム宣言を備える、請求項３４に記載のコンピュータ可読記憶媒体。
【発明の詳細な説明】
【技術分野】
【０００１】
関連出願
本出願は、２００９年４月８日に出願された「Method And Apparatus For Minimizing User Equipment Impact with Self Synchronization」と題する米国特許仮出願第61/167,653号に関連し、同出願に基づく優先権を主張する。
【０００２】
本開示は、一般に、ワイヤレス通信システムに関する。より詳細には、本開示は、ワイヤレス通信デバイスに対する自己同期（self synchronization）の影響を最小化するためのシステムおよび方法に関する。
【背景技術】
【０００３】
ワイヤレス通信システムは、世界中の多くの人々がそれによって通信を行うようになった重要な手段になっている。ワイヤレス通信システムは、多くの移動局に通信を提供することができ、各移動局は、基地局によるサービスを受けることができる。
【０００４】
ワイヤレス通信システム内の各基地局は、同期をとって動作することができる。言い換えると、各基地局は、同じソースを用いてクロックを同期させることができる。同期をとって動作することによって、干渉管理などの改善を達成することができる。
【０００５】
現在実施されているワイヤレス通信システムに加えて、新しいクラスの小型基地局が出現した。これらの小型基地局は、ユーザの住居に設置することができ、既存のブロードバンドインターネット接続を使用して、移動局に屋内ワイヤレスカバレージを提供することができる。一般に、これらのミニチュア基地局は、デジタル加入者回線（ＤＳＬ）ルータまたはケーブルモデムを介して、インターネットおよびモバイルデバイスのネットワークに接続される。これらのミニチュア基地局を同期させるための改良された方法によって、便益を実現することができる。
【発明の概要】
【０００６】
基地局による自己同期のための方法が説明される。ネットワーク情報がワイヤレス通信デバイスに送信される。ネットワーク情報は、基地局によるサイレンスの期間である第１の期間を示す。第１の期間の間、同期信号が監視される。同期信号の監視は、送信しないことを含む。
【０００７】
基地局は、現在の階層（stratum）を有することができる。同期信号は、現在の階層以下の階層を有する基地局が同期信号を送信するために指定されたスロットを含む、第２の期間において送信することができる。第１の期間は、現在の階層以下の階層を有する基地局が同期信号を監視するために指定されたスロットを含むことができる。ネットワーク情報は、マルチメディアブロードキャスト単一周波数ネットワーク（ＭＢＳＦＮ：multimedia broadcast single frequency network）サブフレーム宣言を含むことができる。共通参照信号（ＣＲＳ）を同期ノードから受信することができる。基地局は、トラッキングのためにＣＲＳを使用することができる。
【０００８】
共通参照信号（ＣＲＳ）は、現在の階層より上の階層のためのＭＢＳＦＮとして宣言されたサブフレームにおいて送信することができる。ＭＢＳＦＮとして宣言されたサブフレームは、第２の期間の一部とすることができる。共通参照信号（ＣＲＳ）は、現在の階層以下の階層のためのＭＢＳＦＮとして宣言されたサブフレームにおいてトラッキングすることができる。
【０００９】
同期信号はサーチされることがある。同期信号が獲得されたかどうかを決定することができる。同期信号が獲得された場合、同期信号に基づいて、現在の階層を決定することができる。ネットワーク情報は、サイレンスの期間の間、不連続受信（ＤＲＸ）モードに入るよう１つまたは複数のワイヤレス通信デバイスに命令するメッセージを含むことができる。ネットワーク情報は、ワイヤレス通信デバイスのためのスリープ時間も含むことができる。ネットワーク情報は、基地局が自己同期を実行しているときの１つまたは複数のサブフレームを識別することができる。
【００１０】
ネットワーク情報は、基地局が自己同期を実行しているときの１つまたは複数のサブフレームを暗黙的に示す、サブフレームインデックスを含むことができる。同期信号は、同期ソースによって送信することができる。同期信号の監視は、同期ソースを時間トラッキングすることを含むことができる。同期ソースを時間トラッキングしている間、周波数誤差補正を実行することができる。
【００１１】
ネットワーク情報の送信は、ディープフェード（deep fade）を真似するために、電力を徐々に減少させ、次に電力を徐々に増加させることを含むことができる。ネットワーク情報は、共通参照信号（ＣＲＳ）が送信されないサブフレーム内およびその周辺においてワイヤレス通信デバイスへのスケジュールされた送信を含まない、スケジューリング情報を含むことができる。ネットワーク情報の送信は、スロットの最後の２つの直交周波数分割多重（ＯＦＤＭ）シンボル上のプライマリ同期信号（ＰＳＳ）を使用して自己同期を達成しながら、同時にワイヤレス通信デバイスに共通参照信号（ＣＲＳ）を送信することも含むことができる。
【００１２】
ネットワーク情報の送信は、スロットの最後の２つの直交周波数分割多重（ＯＦＤＭ）シンボル上のセカンダリ同期信号（ＳＳＳ）を使用して自己同期を達成しながら、同時にワイヤレス通信デバイスに共通参照信号（ＣＲＳ）を送信することをさらに含むことができる。
【００１３】
基地局は、宅内進化型ノードＢ（ＨｅＮＢ：home evolved NodeB）とすることができる。ワイヤレス通信デバイスは、レガシユーザ機器（ＵＥ）とすることができる。サイレンスの期間は、ネットワークによって調整することができる。
【００１４】
自己同期のために構成されたワイヤレスデバイスが説明される。ワイヤレスデバイスは、プロセッサと、プロセッサと電子通信するメモリと、メモリ内に記憶された命令とを含む。ネットワーク情報をワイヤレス通信デバイスに送信するための命令が、プロセッサによって実行可能である。ネットワーク情報は、基地局によるサイレンスの期間である第１の期間を示す。第１の期間の間に同期信号を監視するための命令も、プロセッサによって実行可能である。同期信号の監視は、送信しないことを含む。
【００１５】
自己同期のために構成されたワイヤレスデバイスも説明される。ワイヤレスデバイスは、ネットワーク情報をワイヤレス通信デバイスに送信するための手段を含む。ネットワーク情報は、基地局によるサイレンスの期間である第１の期間を示す。ワイヤレスデバイスは、第１の期間の間に同期信号を監視するための手段も含む。同期信号の監視は、送信しないことを含む。
【００１６】
基地局による自己同期のためのコンピュータプログラム製品が説明される。コンピュータプログラム製品は、命令を有するコンピュータ可読媒体を含む。命令は、ネットワーク情報をワイヤレス通信デバイスに送信するためのコードを含む。ネットワーク情報は、基地局によるサイレンスの期間である第１の期間を示す。命令は、第１の期間の間に同期信号を監視するためのコードも含む。同期信号の監視は、送信しないことを含む。
【図面の簡単な説明】
【００１７】
【図１】複数のワイヤレスデバイスを有するワイヤレス通信システムを示す図。
【図２】基地局の自己同期のための方法のフロー図。
【図３】宅内進化型ノードＢ（ＨｅＮＢ）からワイヤレス通信デバイスへの、マルチメディアブロードキャスト単一周波数ネットワーク（ＭＢＳＦＮ）宣言を含むネットワーク情報の送信を示す図。
【図４】宅内進化型ノードＢ（ＨｅＮＢ）からワイヤレス通信デバイスへの、不連続受信（ＤＲＸ）モードメッセージを含むネットワーク情報の送信を示す図。
【図５】宅内進化型ノードＢ（ＨｅＮＢ）からワイヤレス通信デバイスへの、スケジューリング情報を含むネットワーク情報の送信を示す図。
【図６】宅内進化型ノードＢ（ＨｅＮＢ）からワイヤレス通信デバイスへの、サブフレームインデックスを含むネットワーク情報の送信を示す図。
【図７】複数の調整サイレンス期間を用いる自己同期を図説するタイミング図。
【図８】マルチメディアブロードキャスト単一周波数ネットワーク（ＭＢＳＦＮ）サブフレームを使用する自己同期のための方法のフロー図。
【図９】マルチメディアブロードキャスト単一周波数ネットワーク（ＭＢＳＦＮ）サブフレームを使用するトラッキングを図説するタイミング図。
【図１０】マルチメディアブロードキャスト単一周波数ネットワーク（ＭＢＳＦＮ）サブフレームを使用する自己同期のための別の方法のフロー図。
【図１１】自己同期ネットワーク情報を受信するための方法のフロー図。
【図１２】複数のワイヤレスデバイスを有するワイヤレス通信デバイスと、デバイスそれぞれの階層を示す図。
【図１３】基地局内に含まれ得るいくつかのコンポーネントを示す図。
【図１４】ワイヤレス通信デバイス内に含まれ得るいくつかのコンポーネントを示す図。
【発明を実施するための形態】
【００１８】
基地局による自己同期のための方法が説明される。ネットワーク情報がワイヤレス通信デバイスに送信される。ネットワーク情報は、基地局によるサイレンスの期間である第１の期間を示す。第１の期間の間、同期信号が監視される。同期信号の監視は、送信しないことを含む。
【００１９】
基地局は、現在の階層を有することができる。同期信号は、現在の階層以下の階層を有する基地局が同期信号を送信するために指定されたスロットを含む、第２の期間において送信することができる。第１の期間は、現在の階層以下の階層を有する基地局が同期信号を監視するために指定されたスロットを含むことができる。ネットワーク情報は、マルチメディアブロードキャスト単一周波数ネットワーク（ＭＢＳＦＮ）サブフレーム宣言を含むことができる。共通参照信号（ＣＲＳ）を同期ノードから受信することができる。基地局は、トラッキングのためにＣＲＳを使用することができる。
【００２０】
共通参照信号（ＣＲＳ）は、現在の階層より上の階層のためのＭＢＳＦＮとして宣言されたサブフレームにおいて送信することができる。ＭＢＳＦＮとして宣言されたサブフレームは、第２の期間の一部とすることができる。共通参照信号（ＣＲＳ）は、現在の階層以下の階層のためのＭＢＳＦＮとして宣言されたサブフレームにおいてトラッキングを行うことができる。
【００２１】
同期信号はサーチされることがある。同期信号が獲得されたかどうかを決定することができる。同期信号が獲得された場合、同期信号に基づいて、現在の階層を決定することができる。ネットワーク情報は、サイレンス期間の間、不連続受信（ＤＲＸ）モードに入るよう１つまたは複数のワイヤレス通信デバイスに命令するメッセージを含むことができる。ネットワーク情報は、ワイヤレス通信デバイスのためのスリープ時間も含むことができる。ネットワーク情報は、基地局が自己同期を実行しているときの１つまたは複数のサブフレームを識別することができる。
【００２２】
ネットワーク情報は、基地局が自己同期を実行しているときの１つまたは複数のサブフレームを暗黙的に示す、サブフレームインデックスを含むことができる。同期信号は、同期ソースによって送信することができる。同期信号の監視は、同期ソースを時間トラッキングすることを含むことができる。同期ソースを時間トラッキングしている間、周波数誤差補正を実行することができる。
【００２３】
ネットワーク情報の送信は、ディープフェードを真似（模擬或いは模倣）するために、電力を徐々に減少させ、次に電力を徐々に増加させることを含むことができる。ネットワーク情報は、共通参照信号（ＣＲＳ）が送信されないサブフレーム内およびその周辺においてワイヤレス通信デバイスへのスケジュールされた送信を含まない、スケジューリング情報を含むことができる。ネットワーク情報の送信は、スロットの最後の２つの直交周波数分割多重（ＯＦＤＭ）シンボル上のプライマリ同期信号（ＰＳＳ）を使用して自己同期を達成しながら、同時にワイヤレス通信デバイスに共通参照信号（ＣＲＳ）を送信することも含むことができる。
【００２４】
ネットワーク情報の送信は、スロットの最後の２つの直交周波数分割多重（ＯＦＤＭ）シンボル上のセカンダリ同期信号（ＳＳＳ）を使用して自己同期を達成しながら、同時にワイヤレス通信デバイスに共通参照信号（ＣＲＳ）を送信することをさらに含むことができる。
【００２５】
基地局は、宅内進化型ノードＢ（ＨｅＮＢ）とすることができる。ワイヤレス通信デバイスは、レガシユーザ機器（ＵＥ）とすることができる。サイレンスの期間は、ネットワークによって調整することができる。
【００２６】
自己同期のために構成されたワイヤレスデバイスが説明される。ワイヤレスデバイスは、プロセッサと、プロセッサと電子通信するメモリと、メモリ内に記憶された命令とを含む。ネットワーク情報をワイヤレス通信デバイスに送信するための命令が、プロセッサによって実行可能である。ネットワーク情報は、基地局によるサイレンスの期間である第１の期間を示す。第１の期間の間に同期信号を監視するための命令も、プロセッサによって実行可能である。同期信号の監視は、送信しないことを含む。
【００２７】
自己同期のために構成されたワイヤレスデバイスも説明される。ワイヤレスデバイスは、ネットワーク情報をワイヤレス通信デバイスに送信するための手段を含む。ネットワーク情報は、基地局によるサイレンスの期間である第１の期間を示す。ワイヤレスデバイスは、第１の期間の間に同期信号を監視するための手段も含む。同期信号の監視は、送信しないことを含む。
【００２８】
基地局による自己同期のためのコンピュータプログラム製品が説明される。コンピュータプログラム製品は、命令を有するコンピュータ可読媒体を含む。命令は、ネットワーク情報をワイヤレス通信デバイスに送信するためのコードを含む。ネットワーク情報は、基地局によるサイレンスの期間である第１の期間を示す。命令は、第１の期間の間に同期信号を監視するためのコードも含む。同期信号の監視は、送信しないことを含む。
【００２９】
第３世代パートナシッププロジェクト（３ＧＰＰ）は、世界的に適用可能な第３世代（３Ｇ）モバイルフォン仕様を定義することを目標とする、電気通信協会の部会間の共同作業である。３ＧＰＰロングタームエボリューション（ＬＴＥ）は、ユニバーサル移動体通信システム（ＵＭＴＳ）モバイルフォン規格を改良することを目標とする、３ＧＰＰのプロジェクトである。３ＧＰＰは、次世代のモバイルネットワーク、モバイルシステム、およびモバイルデバイスのための仕様を定義することもある。
【００３０】
３ＧＰＰ  ＬＴＥでは、移動局またはモバイルデバイスは、「ユーザ機器」（ＵＥ）と呼ばれることがある。基地局は、進化型ノードＢ（ｅＮＢ）と呼ばれることがある。半自律的な基地局は、宅内進化型ノードＢ（ＨｅＮＢ）と呼ばれることがある。したがって、ＨｅＮＢは、ｅＮＢの一例とすることができる。ＨｅＮＢおよび／またはＨｅＮＢのカバレージエリアは、フェムトセル、ピコセル、ＨｅＮＢセル、またはクローズド加入者グループ（ＣＳＧ：closed subscriber group）セルと呼ばれることがある。
【００３１】
図１は、複数のワイヤレスデバイスを有するワイヤレス通信システム１００を示している。ワイヤレス通信システム１００は、音声およびデータなど、様々なタイプの通信コンテンツを提供するために、広く配備される。これらのシステムは、利用可能なシステムリソース（例えば、帯域幅および送信電力）を共用することによって、複数のユーザが存在する通信をサポートすることが可能な、多元接続システムとすることができる。ワイヤレスデバイスは、基地局１０４またはワイヤレス通信デバイス１１４とすることができる。図１には、全地球測位システム（ＧＰＳ）サーバ１０２も示されている。
【００３２】
基地局１０４は、１つまたは複数のワイヤレス通信デバイス１１４と通信する局である。基地局１０４は、アクセスポイント、ブロードキャスト送信機、ノードＢ、進化型ノードＢなどとも呼ばれることがあり、それらの機能の一部または全部を含むことができる。本明細書では、「基地局」という用語が使用される。各基地局１０４は、特定の地理的エリアに対する通信カバレージを提供する。基地局１０４は、１つまたは複数のワイヤレス通信デバイス１１４に通信カバレージを提供することができる。「セル」という用語は、この用語が使用される文脈に応じて、基地局１０４および／またはそのカバレージエリアを指すことができる。
【００３３】
ワイヤレスシステム（例えば、多元接続システム）内での通信は、ワイヤレスリンクを介した伝送によって達成することができる。そのような通信リンクは、単入力単出力（ＳＩＳＯ）システム、多入力単出力（ＭＩＳＯ）システム、または多入力多出力（ＭＩＭＯ）システムを介して確立することができる。ＭＩＭＯシステムは、データ伝送のための複数（ＮＴ個）の送信アンテナおよび複数（ＮＲ個）の受信アンテナをそれぞれ備えた送信機および受信機を含む。ＳＩＳＯシステムおよびＭＩＳＯシステムは、ＭＩＭＯシステムの特殊な例である。ＭＩＭＯシステムは、複数の送信アンテナおよび受信アンテナによって生み出される追加的な次元が利用される場合、改善された性能（例えば、より高いスループット、より大きな容量、または改善された信頼性）を提供することができる。
【００３４】
ワイヤレス通信システム１００は、ＭＩＭＯを利用することができる。ＭＩＭＯシステムは、時分割複信（ＴＤＤ）システムおよび周波数分割複信（ＦＤＤ）システムの両方をサポートすることができる。ＴＤＤシステムでは、順方向リンク送信と逆方向リンク送信は、逆方向リンクチャネルからの順方向リンクチャネルの推定を相反原理（reciprocity principle）が可能にするように、同じ周波数領域上で行われる。これは、送信ワイヤレスデバイスが、送信ワイヤレスデバイスによって受信された通信から送信ビーム形成利得を抽出することを可能にする。
【００３５】
ワイヤレス通信システム１００は、利用可能なシステムリソース（例えば、帯域幅および送信電力）を共用することによって、複数のワイヤレス通信デバイスが存在する通信をサポートすることが可能な、多元接続システムとすることができる。そのような多元接続システムの例は、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、第３世代パートナシッププロジェクト（３ＧＰＰ）ロングタームエボリューション（ＬＴＥ）システム、および空間分割多元接続（ＳＤＭＡ）システムを含む。
【００３６】
「ネットワーク」という用語と「システム」という用語は、しばしば相互交換可能に使用される。ＣＤＭＡネットワークは、ユニバーサル地上無線アクセス（ＵＴＲＡ）、ｃｄｍａ２０００などの無線技術を実施することができる。ＵＴＲＡは、Ｗ−ＣＤＭＡおよび低チップレート（ＬＣＲ）を含むが、ｃｄｍａ２０００は、ＩＳ−２０００、ＩＳ−９５、およびＩＳ−８５６規格をカバーする。ＴＤＭＡネットワークは、移動体通信用グローバルシステム（ＧＳＭ（登録商標））などの無線技術を実施することができる。ＯＦＤＭＡネットワークは、進化型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭＡなどの無線技術を実施することができる。ＵＴＲＡ、Ｅ−ＵＴＲＡ、およびＧＳＭは、ユニバーサル移動体通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシッププロジェクト」（３ＧＰＰ）という名称の組織から出された文書において説明されている。ｃｄｍａ２０００は、「第３世代パートナシッププロジェクト２」（３ＧＰＰ２）という名称の組織から出された文書において説明されている。明瞭にするため、以下ではＬＴＥについての技術のある態様が説明され、以下の説明の多くでは、ＬＴＥの用語が使用される。
【００３７】
単一搬送波周波数分割多元接続（ＳＣ−ＦＤＭＡ）システムは、単一搬送波変調および周波数領域等化を利用する。ＳＣ−ＦＤＭＡシステムは、ＯＦＤＭＡシステムの場合と同様の性能、特に同じ全体的複雑さを有する。ＳＣ−ＦＤＭＡ信号は、その本来的な単一搬送波構造のために、より低いピーク対平均電力比（ＰＡＰＲ）を有する。ＳＣ−ＦＤＭＡは、より低いピーク対平均電力比（ＰＡＰＲ）が送信電力効率に関する大きな便益をモバイル端末にもたらすアップリンク通信において特に、大きな注目を集めている。それは現在、３ＧＰＰのロングタームエボリューション（ＬＴＥ）または進化型ＵＴＲＡにおけるアップリンク多元接続方式のための作業仮説である。
【００３８】
ワイヤレスネットワーク内の基地局１０４間の同期は、干渉管理または仮想ＭＩＭＯなど、多くの便益をもたらす。従来、セルラネットワーク同期は、基地局１０４とともに配置された全地球測位システム（ＧＰＳ）受信機を使用して達成される。ＧＰＳ受信機および／またはＧＰＳ信号は、製造コスト上の判断、電力消費制限、ＧＰＳ衛星までの見通し線の欠如、および他の理由のため、同期目的で常に利用可能であるとは限らない。そのようなシナリオでは、代替同期戦略が必要なことがある。そのようなシナリオの１つは、ＬＴＥまたはＬＴＥ−Ａにおいて使用される異種配備である。
【００３９】
通常の基地局１０４に加えて、宅内進化型ノードＢ（ＨｅＮＢ）、ピコセル、およびフェムトセルなど、より低電力の基地局１０４も使用される。ピコセルは、通常の基地局１０４よりもはるかに小さなスケールで動作する、ネットワーク事業者によって管理される基地局１０４を指すことがある。フェムトセルは、通常の基地局１０４よりもはるかに小さなスケールで動作する、消費者によって管理される基地局１０４を指すことがある。フェムトセルは、閉じられた加入者グループにサービスを提供することができる。フェムトセル、ピコセル、およびＨｅＮＢは、同様の送信電力およびカバレージエリアを有することができる。フェムトセル、ピコセル、およびＨｅＮＢは、ＧＰＳ信号を受信できる可能性の低い屋内に配置されることがある。あるいは、フェムトセル、ピコセル、およびＨｅＮＢは、ＧＰＳ受信機を有さないことさえある。通常の基地局１０４は、マクロ基地局１０４と呼ばれることがある。
【００４０】
同期がとれていない基地局１０４は、すでに同期がとれている基地局１０４から同期を得ることができる。すでに同期がとれている基地局１０４から基地局１０４が同期を得ると、新たに同期がとれた基地局１０４は、すでに同期がとれている基地局１０４によって送信された同期信号を監視し続けることができる。例えば、第１の基地局１０４ａは、第２の基地局１０４ｂから同期を得ることができた。第１の基地局１０４ａは、第２の基地局１０４ｂによって送信された同期信号（送信）１１０ｂを監視し続けることができる。第１の基地局１０４ａによって受信された第２の基地局１０４ｂからの同期信号は、同期信号（受信）１１０ａと呼ぶことができる。第１の基地局１０４ａは、同期を得るために、同期信号（受信）１１０ａを使用することができる。
【００４１】
第２の基地局１０４ｂは、全地球測位システム（ＧＰＳ）サーバ１０２を用いて直接的に同期をとることができる。第２の基地局１０４ｂは、マクロ進化型ノードＢと呼ばれることがある。第２の基地局１０４ｂは、全地球測位システム（ＧＰＳ）サーバ１０２を用いて直接的に同期をとるために、ＧＰＳ受信機（図示されず）を使用することができる。
【００４２】
第１の基地局１０４ａも、第３の基地局１０４ｂに同期を提供することができる。第１の基地局１０４ａは、同期信号（送信）１０８ａを送信することができる。第３の基地局１０４ｃによって受信された第１の基地局１０４ａからの同期信号は、同期信号（受信）１０８ｂと呼ぶことができる。第３の基地局１０４ｃは、同期を得るために、同期信号（受信）１０８ｂを使用することができる。
【００４３】
第１の基地局１０４ａは、１つまたは複数のワイヤレス通信デバイス１１４と通信することができる。ワイヤレス通信デバイス１１４は、端末、アクセス端末、ユーザ機器（ＵＥ）、加入者ユニット、局などとも呼ばれることがあり、それらの機能の一部または全部を含むことができる。ワイヤレス通信デバイス１１４は、セルラフォン、携帯情報端末（ＰＤＡ）、ワイヤレスデバイス、ワイヤレスモデム、ハンドヘルドデバイス、ラップトップコンピュータなどとすることができる。ワイヤレス通信デバイス１１４は、任意の与えられた瞬間に、ダウンリンク１１６および／またはアップリンク１１８上で、０個、１個、または複数個の基地局１０４と通信することができる。ダウンリンク１１６（または順方向リンク）は、基地局１０４からワイヤレス通信デバイス１１４への通信リンクを指し、アップリンク１１４（または逆方向リンク）は、ワイヤレス通信デバイス１１４から基地局１０４への通信リンクを指す。ワイヤレス通信デバイス１１４と通信する一環として、第１の基地局１０４ａは、ワイヤレス通信デバイス１１４に共通参照信号（ＣＲＳ）１２０を送信することができる。共通参照信号（ＣＲＳ）１２０は、セル探索、初期獲得、およびダウンリンク１１６のチャネル品質測定のために、ワイヤレス通信デバイス１１４によって使用することができる。
【００４４】
第１の基地局１０４ａは、基地局と全地球測位システム（ＧＰＳ）サーバの間の中間同期ノードの現在の数１０６を含むことができる。基地局１０４と全地球測位システム（ＧＰＳ）サーバ１０２の間の中間同期ノードの数１０６は、階層と呼ばれることがある。図１では、第１の基地局１０４ａと全地球測位システム（ＧＰＳ）サーバ１０２の間の中間同期ノードの現在の数１０６は、１（第２の基地局１０４ｂ）である。したがって、第１の基地局１０４ａは、階層−１という現在の階層を有する。
【００４５】
第１の基地局１０４ａは、調整サイレンスモジュール（coordinated silence module）１１２を含むことができる。上で説明したように、第１の基地局１０４ａは、第２の基地局１０４ｂから同期を獲得し、第３の基地局１０４ｂに同期を提供することができる。第１の基地局１０４ａが、第２の基地局１０４ｂから同期を獲得しているとき、第１の基地局１０４ａは、第２の基地局１０４ｂからの同期信号（送信）１１０ｂを監視することができる。第２の基地局１０４ｂからの同期信号（送信）１１０ｂを監視するため、第１の基地局１０４ａは、第１の基地局１０４ａが通常は送信できるいくつかのスロットにおいて、ワイヤレス通信デバイス１１４への送信を停止しなければならないことがある。これらの送信は、共通参照信号（ＣＲＳ）１２０ばかりでなく、他のネットワーク情報またはデータ転送も含むことがある。
【００４６】
これらのサイレンスの期間は、第１の基地局１０４ａからの送信を予想している、および／またはチャネル測定を実行しようとしているワイヤレス通信デバイス１１４に影響を及ぼすことがある。いくつかのサブフレームにおいて、ワイヤレス通信デバイス１１４がスケジュールされていない場合であっても、ワイヤレス通信デバイス１１４は、第１の基地局１０４ａからの共通参照信号（ＣＲＳ）１２０の送信を依然として予想していることがある。第１の基地局１０４ａは、第２の基地局１０４ｂの同期信号（送信）１１０ｂを監視している場合、または第３の基地局１０４ｃに同期信号（送信）１０８ａを送信している場合、ワイヤレス通信デバイス１１４に共通参照信号（ＣＲＳ）１２０を送信しないことがある。ワイヤレス通信デバイス１１４および全ワイヤレス通信システム１００を混乱させないように、これらの調整サイレンス期間の影響を最小化する必要がある。
【００４７】
調整サイレンスモジュール１１２は、各調整サイレンス期間の長さおよび開始時刻を決定することができる。各調整サイレンス期間の長さおよび開始時刻は、ワイヤレス通信システム１００によって制御することができる。調整サイレンスモジュール１１２は、ワイヤレス通信デバイス１１４に対する調整サイレンス期間の影響を最小化することができる。
【００４８】
ワイヤレス通信デバイス１１４に対する影響を最小化しながら、自己同期をサポートするために、異なる方法を使用することができる。例えば、調整サイレンスモジュール１１２は、次回の調整サイレンス期間をワイヤレス通信デバイス１１４に通知することができる。別の例として、調整サイレンスモジュール１１２は、共通参照信号（ＣＲＳ）１２０を送信し続けながら、第２の基地局１０４ｂとの同期を達成するために、プライマリ同期信号（ＰＳＳ）１０９ａまたはセカンダリ同期信号（ＳＳＳ）１０９ｂなどのチャネルを使用することができる。ＰＳＳ／ＳＳＳ  １０９は、スロットの最後の２つのＯＦＤＭシンボルのみを占め、時間領域においても、または周波数領域においても、共通参照信号（ＣＲＳ）１２０と重なり合わない。したがって、第１の基地局１０４ａが第２の基地局１０４ｂのＰＳＳ／ＳＳＳ  １０９を監視している間も、共通参照信号（ＣＲＳ）１２０を依然として送信することができる。第１の基地局１０４ａは、提供局（donor）である第２の基地局１０４ｂのＰＳＳ／ＳＳＳ  １０９を監視するために、それ自体のＰＳＳ／ＳＳＳ送信を中断する必要があるので、ＰＳＳ／ＳＳＳ  １０９のトラッキングは、何らかのバックワードコンパチビリティを犠牲にして実現することができる。また別の例では、調整サイレンスモジュール１１２は、フェードを真似するために、ワイヤレス通信デバイス１１４への電力を徐々に減少させ、次に増加させることができる。ワイヤレス通信デバイス１１４は、伝搬環境によって引き起こされた共通参照信号（ＣＲＳ）１２０の不在を解釈することができ、条件が改善するのを待つことができる。これは、フェードの埋め込み（implantation）および持続時間に依存する。
【００４９】
図２は、基地局１０４の自己同期のための方法２００のフロー図である。方法２００は、第１の基地局１０４ａによって実行することができる。上で説明したように、第１の基地局１０４ａは、宅内進化型ノードＢ（ＨｅＮＢ）とすることができる。第１の基地局１０４ａは、第１の基地局１０４ａと全地球測位システム（ＧＰＳ）サーバ１０２の間の中間同期ノードの現在の数１０６を決定することができる（２０２）。基地局１０４と全地球測位システム（ＧＰＳ）サーバ１０２の間の中間同期ノードの数１０６は、階層と呼ばれることがある。次に、第１の基地局１０４ａは、第１の基地局１０４ａと全地球測位システム（ＧＰＳ）サーバ１０２の間の中間同期ノードの現在の数１０６に基づいて、第１の調整サイレンス期間および第２の調整サイレンス期間を決定することができる（２０４）。追加の調整サイレンス期間も決定することができる。
【００５０】
第１の基地局１０４ａは、ワイヤレス通信デバイス１１４にネットワーク情報を送信することができる（２０６）。ネットワーク情報は、決定された第１の調整サイレンス期間および決定された第２の調整サイレンス期間に基づくことができる。ネットワーク情報は、ワイヤレス通信デバイス１１４に対する調整サイレンス期間の影響を最小化するように設計された情報とすることができる。
【００５１】
ネットワーク情報は、マルチメディアブロードキャスト単一周波数ネットワーク（ＭＢＳＦＮ）サブフレーム宣言を含むことができる。ＭＢＳＦＮでは、送信は、同じリソースブロックを使用する、時間的に同期がとれた１組の進化型ノードＢから発生する。ＭＢＳＦＮの使用は、無線結合（over the air combining）を可能にすることによって、信号対干渉および雑音比（ＳＩＮＲ：signal to interference plus noise ratio）を改善することができる。サブフレームがＭＢＳＦＮであると宣言された場合、ワイヤレス通信デバイス１１４は、このサブフレームの後方部分を無視する。ＭＢＳＦＮサブフレーム宣言は、図３に関して以下でより詳しく説明される。
【００５２】
ネットワーク情報は、不連続受信（ＤＲＸ）モードメッセージを含むことができる。ＤＲＸモードメッセージは、より長い期間、ワイヤレス通信デバイス１１４をスリープさせることができる。このより長い期間は、第１の調整サイレンス期間および／または第２の調整サイレンス期間と一致することができる。その場合、ワイヤレス通信デバイス１１４は、第１の基地局１０４ａからの送信の欠如による影響を受けずにいることができる。ＤＲＸモードメッセージは、図４に関して以下でさらに詳しく説明される。
【００５３】
ネットワーク情報は、スケジューリング情報を含むことができる。スケジューリング情報は、第１の基地局１０４ａからワイヤレス通信デバイス１１４への送信がいつ行われるようにスケジュールされているかを、ワイヤレス通信デバイス１１４に知らせることができる。共通参照信号（ＣＲＳ）１２０が送信されないサブフレーム内およびその周辺において、ワイヤレス通信デバイス１１４へのどのような送信もスケジュールしないことによって、調整サイレンス期間を使用する影響を最小化することができる。スケジューリング情報は、図５に関して以下でより詳しく説明される。
【００５４】
ネットワーク情報は、サブフレームインデックスを含むことができる。サブフレームインデックスは、第１の基地局１０４ａがその中で送信しないサブフレームを、ワイヤレス通信デバイス１１４に通知することができる。ワイヤレス通信デバイス１１４は、第１の基地局１０４ａがその中で自己同期を実行しているサブフレームについて知っている場合、共通参照信号（ＣＲＳ）１２０の推定のためにそれらのサブフレームを使用することを避けることができる。サブフレームインデックスは、図６に関して以下でさらに詳しく説明される。
【００５５】
第１の基地局１０４ａは、ワイヤレス通信デバイス１１４にネットワーク情報を送信した後、第１の調整サイレンス期間の間、同期信号（送信）１１０ｂを監視することができる（２０８）。同期信号（送信）１１０ｂは、第２の基地局１０４ｂなどの同期基地局１０４によって送信することができる。第１の基地局１０４ａは、同期信号（送信）１１０ｂを監視している間（２０８）、送信を停止することがある。１つの構成では、第１の基地局１０４ａは、同期信号（送信）１１０ｂを監視している間も、共通参照信号（ＣＲＳ）１２０を送信し続けることができる。
【００５６】
第１の基地局１０４ａは、第２の調整サイレンス期間の間、同期信号（送信）１０８ａを送信することができる（２１０）。同期信号（送信）１０８ａは、近くのすべての基地局１０４がそれを受信できるように、ブロードキャストすることができる。第１の基地局１０４ａは、第２の調整サイレンス期間の間は、ワイヤレス通信デバイス１１４にどのような送信も行わないことがある。１つの構成では、第１の基地局１０４ａは、同期信号（送信）１０８ａを送信している間も、共通参照信号（ＣＲＳ）１２０を送信し続けることができる。第１の基地局１０４ａは、周波数誤差補正を実行することができる（２１２）。１つの構成では、第１の基地局１０４ａは、同期ソースを時間トラッキングしている（すなわち、第２の基地局１０４ｂから同期信号（送信）１１０ｂを受信している）間も、周波数誤差補正を実行することができる（２１２）。第１の基地局１０４ａは、タイミング誤差補正も実行することができる。
【００５７】
図３は、宅内進化型ノードＢ（ＨｅＮＢ）３０４からワイヤレス通信デバイス３１４への、マルチメディアブロードキャスト単一周波数ネットワーク（ＭＢＳＦＮ）宣言３２２を含むネットワーク情報３１１の送信を示している。図３の宅内進化型ノードＢ（ＨｅＮＢ）３０４は、図１の第１の基地局１０４ａの１つの構成とすることができる。図３のワイヤレス通信デバイス３１４は、図１のワイヤレス通信デバイス１１４の１つの構成とすることができる。
【００５８】
ネットワーク情報３１１は、マルチメディアブロードキャスト単一周波数ネットワーク（ＭＢＳＦＮ）サブフレーム宣言３２２を含むことができる。マルチメディアブロードキャスト単一周波数ネットワーク（ＭＢＳＦＮ）サブフレーム宣言３２２は、システム情報メッセージ（例えば、システム情報ブロック（ＳＩＢ））の１つにおけるマルチメディアブロードキャスト単一周波数ネットワーク（ＭＢＳＦＮ）サブフレームを示すビットマップを含むことができる。上で説明したように、マルチメディアブロードキャスト単一周波数ネットワーク（ＭＢＳＦＮ）サブフレームとして宣言されたサブフレームの部分は、ワイヤレス通信デバイス３１４によって無視することができる。宅内進化型ノードＢ（ＨｅＮＢ）３０４は、トラッキングのために、同期基地局１０４（すなわち、第２の基地局１０４ｂ）によって送信された共通参照信号（ＣＲＳ）１２０を使用することができる。同期基地局１０４は、マルチメディアブロードキャスト単一周波数ネットワーク（ＭＢＳＦＮ）サブフレームを宣言する必要がない。
【００５９】
図４は、宅内進化型ノードＢ（ＨｅＮＢ）４０４からワイヤレス通信デバイス４１４への、不連続受信（ＤＲＸ）モードメッセージ４２４を含むネットワーク情報４１１の送信を示している。図４の宅内進化型ノードＢ（ＨｅＮＢ）４０４は、図１の第１の基地局１０４ａの１つの構成とすることができる。図４のワイヤレス通信デバイス４１４は、図１のワイヤレス通信デバイス１１４の１つの構成とすることができる。不連続受信（ＤＲＸ）モードメッセージ４２４は、不連続受信（ＤＲＸ）モードに入るようワイヤレス通信デバイス４１４に命令することができ、このモードでは、ワイヤレス通信デバイス４１４は、延長された期間にわたってスリープする。宅内進化型ノードＢ（ＨｅＮＢ）４０４が自己同期を実行しているときに（すなわち、第１の調整サイレンス期間および第２の調整サイレンス期間の間）、ワイヤレス通信デバイス４１４がスリープ状態にある場合、自己同期は、ワイヤレス通信デバイス４１４のパフォーマンスに影響を及ぼさずにいることができる。ワイヤレス通信デバイス４１４は、（無線リソース制御（ＲＲＣ）などの）上位レイヤによる不連続受信（ＤＲＸ）モードのために構成することができる。不連続受信（ＤＲＸ）モードメッセージ４２４は、ワイヤレス通信デバイス４１４がスリープする時間量（スリープ時間４７０）と、ワイヤレス通信デバイス４１４が制御チャネルをサーチする時間（サーチ時間４７１）を含むことができる。
【００６０】
図５は、宅内進化型ノードＢ（ＨｅＮＢ）５０４からワイヤレス通信デバイス５１４への、スケジューリング情報５２５を含むネットワーク情報５１１の送信を示している。図５の宅内進化型ノードＢ（ＨｅＮＢ）５０４は、図１の第１の基地局１０４ａの１つの構成とすることができる。図５のワイヤレス通信デバイス５１４は、図１のワイヤレス通信デバイス１１４の１つの構成とすることができる。スケジューリング情報５２５は、調整サイレンス期間中に、ワイヤレス通信デバイス５１４へのどのような送信もスケジュールしないことによって、調整サイレンス期間をワイヤレス通信デバイス５１４に暗黙的に通知することができる。
【００６１】
図６は、宅内進化型ノードＢ（ＨｅＮＢ）６０４からワイヤレス通信デバイス６１４への、サブフレームインデックス６２６を含むネットワーク情報６１１の送信を示している。図６の宅内進化型ノードＢ（ＨｅＮＢ）６０４は、図１の第１の基地局１０４ａの１つの構成とすることができる。図６のワイヤレス通信デバイス６１４は、図１のワイヤレス通信デバイス１１４の１つの構成とすることができる。上で説明したように、サブフレームインデックス６２６は、宅内進化型ノードＢ（ＨｅＮＢ）６０４がその中で送信しないサブフレームを、ワイヤレス通信デバイス６１４に明示的に通知することができる。ワイヤレス通信デバイス６１４が宅内進化型ノードＢ（ＨｅＮＢ）６０４からの送信が受信されないサブフレームについて知っている場合、宅内進化型ノードＢ（ＨｅＮＢ）６０４による自己同期の影響を最小化することができる。サブフレームインデックス６２６は、ダウンリンク１１６送信のために使用されないサブフレームも示すことができる。ワイヤレス通信デバイス６１４へのサブフレームインデックス６２６の送信は、ワイヤレス通信デバイス６１４がレガシデバイスである場合はサポートされないことがあるが、将来のリリースではサポートすることができる。サブフレームは、明示的または暗黙的に（例えば、サブフレームインデックス６２６の関数として）示すことができる。
【００６２】
図７は、複数の調整サイレンス期間７３０を用いる自己同期を図説するタイミング図である。各調整サイレンス期間７３０は、１つまたは複数の基地局７０４の自己同期に対応することができる。例えば、第１の調整サイレンス期間７３０ａは、第１の基地局７０４ａと第２の基地局７０４ｂの自己同期に対応することができる。第１の基地局７０４ａは、階層−１という階層を有することができる。第２の基地局７０４ｂは、階層−０という階層を有することができる。第１の基地局７０４ａは、第２の基地局７０４ｂから同期を得ることができる。第２の基地局７０４ｂは、全地球測位システム（ＧＰＳ）ソース１０２から同期を得ることができる。
【００６３】
第１の調整サイレンス期間７３０ａの間、第１の基地局７０４ａは、同期信号を監視することができ（７３４）、第２の基地局７０４ｂは、同期信号を送信することができる（７３２ａ）。第１の基地局７０４ａは、第２の基地局７０４ｂを含む複数の基地局１０４からの同期信号を監視することができる（７３４）。同期信号は、プライマリ同期信号（ＰＳＳ）１０９ａおよびセカンダリ同期信号（ＳＳＳ）１０９ｂなどの同期信号（送信）１１０ｂとすることができる。第２の基地局７０４ｂは、第１の基地局７０４ａに加えて、他の基地局１０４にも同期信号を送信することができる（７３２ａ）。第３の基地局７０４ｃは、第１の基地局７０４ａから同期を得ることができる。第３の基地局７０４ｃは、階層−２という階層を有することができる。第１の調整サイレンス期間７３０ａの間、第３の基地局７０４ｃは、同期信号があるかどうか監視を試みながら（７３８ａ）、サイレントであり続けることができる。第３の基地局７０４ｃは、ネットワーク内で変更を検出した場合、階層をしかるべく変更できてよい。
【００６４】
第２の調整サイレンス期間７３０ｂは、第１の基地局７０４ａ、第２の基地局７０４ｂ、および第３の基地局７０４ｃの自己同期に対応することができる。第２の調整サイレンス期間７３０ｂの間、第１の基地局７０４ａは、同期信号（送信）１０８ａなどの同期信号を送信することができる（７３６ａ）。第１の基地局７０４ａは、第３の基地局７０４ｃを含む複数の基地局１０４に同期信号を送信することができる（７３６ａ）。第２の調整サイレンス期間７３０ｂの間、第３の基地局７０４ｃは、同期信号を監視することができる（７３８ｂ）。第２の基地局７０４ｂも、第２の調整サイレンス期間７３０ｂの間、同期信号を送信することができる（７３２ｂ）。
【００６５】
第３の調整サイレンス期間７３０ｃは、第１の基地局７０４ａ、第２の基地局７０４ｂ、および第３の基地局７０４ｃの自己同期に対応することができる。第３の調整サイレンス期間７３０ｃの間、第３の基地局７０４ｃは、同期信号を送信することができる（７４０）。第１の基地局７０４ａも、第３の調整サイレンス期間７３０ｃの間、同期信号を送信することができる（７３６ｂ）。加えて、第２の基地局７０４ｂも、第３の調整サイレンス期間７３０ｃの間、同期信号を送信することができる（７３２ｃ）。他の基地局１０４（図示されず）が、第３の基地局７０４ｃによって送信された同期信号を受信することができる。
【００６６】
図８は、マルチメディアブロードキャスト単一周波数ネットワーク（ＭＢＳＦＮ）サブフレームを使用する自己同期のための方法８００のフロー図である。図８の方法８００は、第１の基地局１０４ａによって実行することができる。第１の基地局１０４ａは、宅内進化型ノードＢ（ＨｅＮＢ）３０４とすることができる。第１の基地局１０４ａは、サブフレームをマルチメディアブロードキャスト単一周波数ネットワーク（ＭＢＳＦＮ）サブフレームとして宣言するネットワーク情報３１１を、ワイヤレス通信デバイス１１４に送信することができる（８０２）。
【００６７】
次に、第１の基地局１０４ａは、マルチメディアブロードキャスト単一周波数ネットワーク（ＭＢＳＦＮ）サブフレームの第１の部分の間、同期基地局１０４ｂの共通参照信号（ＣＲＳ）を監視することができる（８０４）。第１の基地局１０４ａは、マルチメディアブロードキャスト単一周波数ネットワーク（ＭＢＳＦＮ）サブフレームの第２の部分の間、同期信号（送信）１０８ａを送信することができる（８０６）。サブフレームは、２つのスロットを有することができる（すなわち、各スロットは、サブフレームの部分とすることができる）。マルチメディアブロードキャスト単一周波数ネットワーク（ＭＢＳＦＮ）サブフレームの第１の部分（または第１のスロット）は、監視のために使用することができ、一方、第２の部分（または第２のスロット）は、送信のために使用することができる。１つの構成では、サブフレーム全体を、監視または送信のために使用することができる。上で説明したように、ワイヤレス通信デバイス１１４は、マルチメディアブロードキャスト単一周波数ネットワーク（ＭＢＳＦＮ）サブフレームとして宣言されたサブフレームを無視することができる。
【００６８】
図９は、マルチメディアブロードキャスト単一周波数ネットワーク（ＭＢＳＦＮ）サブフレームを使用するトラッキングを図説するタイミング図である。宅内進化型ノードＢ（ＨｅＮＢ）３１４は、同期をトラッキングするために、サブフレーム９４８の間、送信を停止することができる。同期をトラッキングする影響を最小化するため、宅内進化型ノードＢ（ＨｅＮＢ）３１４は、このサブフレーム９４８をマルチメディアブロードキャスト単一周波数ネットワーク（ＭＢＳＦＮ）サブフレームであると宣言することができる。この方法は、同期経路における複数のホップを許容する。また、ワイヤレス通信システム１００内のすべてのノードは、（同じ時間におけるすべての宣言マルチメディアブロードキャスト単一周波数ネットワーク（ＭＢＳＦＮ）サブフレームによって）協調的な方式でトラッキングすることができ、したがって、干渉を最小化することができる。
【００６９】
マクロ進化型ノードＢ  ９４２、第１の宅内進化型ノードＢ（ＨｅＮＢ）９４４、および第２の宅内進化型ノードＢ（ＨｅＮＢ）９４６のタイミング構造が図説されている。図９のマクロ進化型ノードＢ  ９４２は、図１の第２の基地局１０４ｂの１つの構成とすることができ、階層−０という階層を有することができる。図９の第１の宅内進化型ノードＢ（ＨｅＮＢ）９４４は、図１の第１の基地局１０４ａの１つの構成とすることができ、階層−１という階層を有することができる。図９の第２の宅内進化型ノードＢ（ＨｅＮＢ）９４６は、図１の第３の基地局１０４ｃの１つの構成とすることができ、階層−２という階層を有することができる。
【００７０】
第１のサブフレーム９４８ａの間、マクロ進化型ノードＢ  ９４２は、共通参照信号（ＣＲＳ）を送信することができる（９５０ａ）。第１の宅内進化型ノードＢ（ＨｅＮＢ）９４４も、共通参照信号（ＣＲＳ）１２０を送信することができる（９５２ａ）。また、第２の宅内進化型ノードＢ（ＨｅＮＢ）９４６も、共通参照信号（ＣＲＳ）を送信することができる（９５６）。
【００７１】
図９の第２のサブフレーム９４８ｂは、図７の第１の調整サイレンス期間７３０ａの１つの構成とすることができる。マクロ進化型ノードＢ  ９４２は、第２のサブフレーム９４８ｂの間、共通参照信号（ＣＲＳ）を送信することができる（９５０ｂ）。第１の宅内進化型ノードＢ（ＨｅＮＢ）９４４は、第２のサブフレーム９４８ｂの間、同期信号を受信することができる（９５４）。したがって、第１の宅内進化型ノードＢ（ＨｅＮＢ）９４４は、第１の宅内進化型ノードＢ（ＨｅＮＢ）９４４と通信するワイヤレス通信デバイス１１４に、第２のサブフレーム９４８ｂをマルチメディアブロードキャスト単一周波数ネットワーク（ＭＢＳＦＮ）サブフレームとして宣言する必要があることがある。第２の宅内進化型ノードＢ（ＨｅＮＢ）９４６も、第２のサブフレーム９４８ｂの間、同期信号を受信することができる（９５８ａ）。したがって、第２の宅内進化型ノードＢ（ＨｅＮＢ）９４６も、第２のサブフレーム９４８ｂをマルチメディアブロードキャスト単一周波数ネットワーク（ＭＢＳＦＮ）サブフレームとして宣言する必要があることがある。１つの構成では、第２の宅内進化型ノードＢ（ＨｅＮＢ）９４６は、第２のサブフレーム９４８ｂの間、より低位の階層を有する別の基地局１０４からの同期信号を見出し、受信することができる（９５８ａ）。
【００７２】
図９の第３のサブフレーム９４８ｃは、図７の第２の調整サイレンス期間７３０ｂの１つの構成とすることができる。マクロ進化型ノードＢ  ９４２は、第３のサブフレーム９４８ｃの間、共通参照信号（ＣＲＳ）を送信することができる（９５０ｃ）。第１の宅内進化型ノードＢ（ＨｅＮＢ）９４４も、第３のサブフレーム９４８ｃの間、共通参照信号（ＣＲＳ）１２０を送信することができる（９５２ｂ）。第２の宅内進化型ノードＢ（ＨｅＮＢ）９４６は、第３のサブフレーム９４８ｃの間、第１の宅内進化型ノードＢ（ＨｅＮＢ）９４４から同期信号を受信することができる（９５８ｂ）。したがって、第２の宅内進化型ノードＢ（ＨｅＮＢ）９４６は、第２の宅内進化型ノードＢ（ＨｅＮＢ）９４６と通信するワイヤレス通信デバイス１１４に、第３のサブフレーム９４８ｃをマルチメディアブロードキャスト単一周波数ネットワーク（ＭＢＳＦＮ）サブフレームとして宣言する必要があることがある。
【００７３】
マルチメディアブロードキャスト単一周波数ネットワーク（ＭＢＳＦＮ）サブフレームの使用は、全ネットワークが同じ同期ソース（例えば、全地球測位システム（ＧＰＳ）サーバ１０２などの全地球航法衛星システム（ＧＮＳＳ：global navigation satellite system））を使用し、ループが生成されないことを保証する。これは、各宅内進化型ノードＢ（ＨｅＮＢ）９４４、９４６が、その提供局である基地局１０４の階層よりも１だけ大きいとして、その階層を宣言するためである。宅内進化型ノードＢ（ＨｅＮＢ）９４４、９４６の階層番号は、自己設定される。加えて、宅内進化型ノードＢ（ＨｅＮＢ）９４４、９４６は、最低位の利用可能な階層を用いてノードをトラッキングしようと試みる。これは、次に、宅内進化型ノードＢ（ＨｅＮＢ）９４４、９４６が、ＧＮＳＳのタイミングに可能な限り近くなることを可能にする。階層番号は、（宅内進化型ノードＢ（ＨｅＮＢ）９４４、９４６がシャットダウンされるなど）状態が変化するのに伴って変化し得る動的な品質である。
【００７４】
図１０は、自己同期のための別の方法１０００のフロー図である。方法１０００は、基地局１０４ａによって実行することができる。基地局１０４ａは、宅内進化型ノードＢ（ＨｅＮＢ）３０４とすることができる。基地局１０４ａは、最初に電源を入れることができる（１００２）。次に、基地局１０４ａは、（プライマリ同期信号（ＰＳＳ）、セカンダリ同期信号（ＳＳＳ）、または共通参照信号（ＣＲＳ）などの）同期信号をサーチすることができる（１００４）。基地局１０４ａが同期信号をサーチしている間（１００４）、基地局１０４からの送信を止めることができる。次に、基地局１０４ａは、同期信号が獲得されたかどうかを決定することができる（１００６）。同期信号が獲得されず、基地局１０４ａが時分割複信（ＴＤＤ）モードで動作している場合、基地局１０４ａは、同期信号をサーチし続けることができる（１００４）。同期信号が獲得されず、基地局１０４ａが周波数分割複信（ＦＤＤ）モードで動作している場合、基地局１０４ａは、サーチ時間が開始するまで、送信することができる（１００７）。サーチ時間が開始すると、基地局１０４ａは、同期信号のサーチ（１００４）に戻ることができる。
【００７５】
同期信号が獲得された場合、基地局１０４ａは、現在の階層を決定することができる（１００８）。現在の階層は、同期信号をブロードキャストしている同期基地局１０４ｂの階層よりも１だけ大きくすることができる。同期基地局１０４ｂの階層は、同期信号のブロードキャストに含むことができる。
【００７６】
基地局１０４ａは、現在の階層以下の階層を有する基地局が同期信号を送信するために指定されたスロットにおいて、（共通参照信号（ＣＲＳ）１２０などの）同期信号を送信することができる（１０１０）。基地局１０４ａは、現在の階層以下の階層を有する基地局が同期信号を監視するために指定されたスロットにおいて、（共通参照信号（ＣＲＳ）１２０などの）同期信号をトラッキングすることもできる（１０１２）。言い換えると、基地局１０４ａは、第１の調整サイレンス期間の間、同期信号（送信）１０８ａを送信することができる。第１の調整サイレンス期間の間、現在の階層以下の階層を有するすべての基地局１０４も、同期信号を送信することができる。基地局１０４ａは、第２の調整サイレンス期間の間、サイレントであり続けることができ、同期信号（受信）１１０ａをトラッキングすることができる。第２の調整サイレンス期間の間、現在の階層より上の階層を有する１つまたは複数の基地局１０４も、同期信号をトラッキングすることができる。
【００７７】
階層毎に、サイレンスの期間が存在することがある。例えば、第１のサイレンスの期間の間、階層−０という階層を有するすべての基地局１０４が送信することができる。第１のサイレンスの期間の間、他のすべての基地局１０４（すなわち、階層−１、階層−２、．．．という階層を有する基地局）は、同期信号を監視しながら、サイレントであり続ける。第２のサイレンスの期間の間、階層−１および階層−０という階層を有するすべての基地局１０４が送信することができる。第２のサイレンスの期間の間、他のすべての基地局１０４（すなわち、階層−２、階層−３、．．．という階層を有する基地局）は、同期信号を監視しながら、サイレントであり続ける。
【００７８】
次に、基地局１０４ａは、同期が獲得されたか／トラッキングが成功したかどうかを決定することができる（１０１４）。同期が獲得され／トラッキングが成功した場合、基地局１０４ａは、新しい現在の階層を得ることができる（１００８）。同期が獲得されず／トラッキングが成功しなかった場合、基地局１０４ａは、同期信号のサーチ（１００４）に戻ることができる。
【００７９】
この方式によってもたらされるオーバヘッドは、基地局１０４ａと全地球測位システム（ＧＰＳ）ソース１０２の間のホップの数に依存することができる。オーバヘッドは、３２０個のサブフレーム当たり１個のサブフレームをホップの数に乗じることによって計算することができる。マルチメディアブロードキャスト単一周波数ネットワーク（ＭＢＳＦＮ）サブフレーム方法は、周波数同期および潜在的に時間同期を得るために、周波数分割複信（ＦＤＤ）に対して使用することができる。
【００８０】
図１１は、自己同期ネットワーク情報３１１を受信するための方法１１００のフロー図である。図１１の方法は、ワイヤレス通信デバイス１１４によって実行することができる。ワイヤレス通信デバイス１１４は、宅内進化型ノードＢ（ＨｅＮＢ）３０４からネットワーク情報３１１を受信することができる（１１０２）。ネットワーク情報３１１は、マルチメディアブロードキャスト単一周波数ネットワーク（ＭＢＳＦＮ）サブフレーム宣言３２２、不連続受信（ＤＲＸ）モードメッセージ４２４、スケジューリング情報５２５、またはサブフレームインデックス６２６を含むことができる。
【００８１】
ワイヤレス通信デバイス１１４は、マルチメディアブロードキャスト単一周波数ネットワーク（ＭＢＳＦＮ）サブフレームとして宣言されたサブフレーム９４８の後方部分を無視することができる（１１０４）。ワイヤレス通信デバイス１１４は、調整サイレンス期間の間、不連続受信（ＤＲＸ）モードに入ることもできる（１１０６）。ワイヤレス通信デバイス１１４はさらに、宅内進化型ノードＢ（ＨｅＮＢ）３０４が自己同期のために使用するサブフレーム９４８を、共通参照信号（ＣＲＳ）推定のために使用することを控えることができる（１１０８）。
【００８２】
図１２は、複数のワイヤレスデバイスを有するワイヤレス通信システム１２００と、デバイスそれぞれの階層１２６２、１２６４、１２６６を示している。上で説明したように、階層は、基地局１２０４と全地球測位システム（ＧＰＳ）サーバ１２０２の間の中間同期ノードの数を指す。全地球測位システム（ＧＰＳ）サーバ１２０２から１ホップ離れた基地局１２０４ａは、階層−０  １２６２ａという階層を有することができる。全地球測位システム（ＧＰＳ）サーバ１２０２から２ホップ離れた基地局１２０４ｂ〜１２０４ｃは、階層−１  １２６２ｂ〜１２６２ｃという階層を有することができる。全地球測位システム（ＧＰＳ）サーバ１２０２から３ホップ離れた基地局１２０４ｄは、階層−２  １２６２ｄという階層を有することができる。
【００８３】
各基地局１２０４は、全地球測位システム（ＧＰＳ）サーバ１２０２に到るラインの中の直前の基地局１２０４の階層に基づいて、階層を得ることができる。例えば、階層−２  １２６２ｄという階層を有する基地局１２０４ｄは、階層−１  １２６２ｂを有する基地局１２０４ｂから、階層を得ることができる。同期がとれていない宅内進化型ノードＢ（ＨｅＮＢ）１２６０は、宅内進化型ノードＢ（ＨｅＮＢ）１２６０が同期情報を受信する各基地局１２０４から、階層を得ることができる。例えば、宅内進化型ノードＢ（ＨｅＮＢ）１２６０は、基地局１２０４ｄの階層−２  １２６２ｄに基づいて、階層−３  １２６４を得ることができる。宅内進化型ノードＢ（ＨｅＮＢ）１２６０は、基地局１２０４ｃの階層−１  １２６２ｃに基づいて、階層−２  １２６６を得ることもできる。得られた階層１２６４、１２６６は、直前の基地局１２０４の階層１２６２よりも１だけ大きくすることができる。宅内進化型ノードＢ（ＨｅＮＢ）１２６０は、同期基地局として、対応する最低の階層１２６２を有する基地局１２０４を選択することができる。したがって、宅内進化型ノードＢ（ＨｅＮＢ）１２６０は、同期基地局として基地局１２０４ｃを、現在の階層として階層−２  １２６６を選択することができる。
【００８４】
図１３は、基地局１３０１内に含まれ得るいくつかのコンポーネントを示している。基地局は、アクセスポイント、ブロードキャスト送信機、ノードＢ、進化型ノードＢなどとも呼ばれることがあり、それらの機能の一部または全部を含むことができる。基地局１３０１は、プロセッサ１３０３を含む。プロセッサ１３０３は、汎用シングルチップまたはマルチチップマイクロプロセッサ（例えば、ＡＲＭ）、専用マイクロプロセッサ（例えば、デジタル信号プロセッサ（ＤＳＰ））、マイクロコントローラ、プログラム可能ゲートアレイなどとすることができる。プロセッサ１３０３は、中央処理装置（ＣＰＵ）と呼ばれることがある。図１３の基地局１３０１には、単一のプロセッサ１３０３しか示されていないが、代替構成では、プロセッサの組み合わせ（例えば、ＡＲＭとＤＳＰ）を使用することができる。
【００８５】
基地局１３０１は、メモリ１３０５も含む。メモリ１３０５は、電子情報を記憶することが可能な電子コンポーネントとすることができる。メモリ１３０５は、ランダムアクセスメモリ（ＲＡＭ）、リードオンリメモリ（ＲＯＭ）、磁気ディスク記憶媒体、光記憶媒体、ＲＡＭ内のフラッシュメモリデバイス、プロセッサとともに含まれるオンボードメモリ、ＥＰＲＯＭメモリ、ＥＥＰＲＯＭメモリ、レジスタなどとして具現することができ、それらの組み合わせを含む。
【００８６】
データ１３０７および命令１３０９は、メモリ１３０５内に記憶することができる。命令１３０９は、本明細書で開示された方法を実施するために、プロセッサ１３０３によって実行可能とすることができる。命令１３０９の実行は、メモリ１３０５内に記憶されたデータ１３０７の使用を必要とすることがある。プロセッサ１３０３が命令１３０９を実行するとき、命令の様々な部分１３０９ａをプロセッサ１３０３上にロードすることができ、データの様々な部分１３０７ａをプロセッサ１３０３上にロードすることができる。
【００８７】
基地局１３０１は、基地局１３０１への信号の送信および基地局１３０１からの信号の受信を可能にするために、送信機１３１１および受信機１３１３も含むことができる。送信機１３１１および受信機１３１３は、一括してトランシーバ１３１５と呼ばれることがある。アンテナ１３１７をトランシーバ１３１５に電気的に結合することができる。基地局１３０１は、（図示されていない）複数の送信機、複数の受信機、複数のトランシーバ、および／または追加のアンテナも含むことができる。
【００８８】
基地局１３０１の様々なコンポーネントは、１つまたは複数のバスによって互いに結合することができ、バスは、電力バス、制御信号バス、ステータス信号バス、データバスなどを含むことができる。明瞭にするため、図１３では、様々なバスは、バスシステム１３１９として示されている。
【００８９】
図１４は、ワイヤレス通信デバイス１４１４内に含まれ得るいくつかのコンポーネントを示している。ワイヤレス通信デバイス１４１４は、アクセス端末、移動局、ユーザ機器（ＵＥ）などとすることができる。ワイヤレス通信デバイス１４１４は、プロセッサ１４０３を含む。プロセッサ１４０３は、汎用シングルチップまたはマルチチップマイクロプロセッサ（例えば、ＡＲＭ）、専用マイクロプロセッサ（例えば、デジタル信号プロセッサ（ＤＳＰ））、マイクロコントローラ、プログラム可能ゲートアレイなどとすることができる。プロセッサ１４０３は、中央処理装置（ＣＰＵ）と呼ばれることがある。図１４のワイヤレス通信デバイス１４１４には、単一のプロセッサ１４０３しか示されていないが、代替構成では、プロセッサの組み合わせ（例えば、ＡＲＭとＤＳＰ）を使用することができる。
【００９０】
ワイヤレス通信デバイス１４１４は、メモリ１４０５も含む。メモリ１４０５は、電子情報を記憶することが可能な電子コンポーネントとすることができる。メモリ１４０５は、ランダムアクセスメモリ（ＲＡＭ）、リードオンリメモリ（ＲＯＭ）、磁気ディスク記憶媒体、光記憶媒体、ＲＡＭ内のフラッシュメモリデバイス、プロセッサとともに含まれるオンボードメモリ、ＥＰＲＯＭメモリ、ＥＥＰＲＯＭメモリ、レジスタなどとして具現することができ、それらの組み合わせを含む。
【００９１】
データ１４０７および命令１４０９は、メモリ１４０５内に記憶することができる。命令１４０９は、本明細書で開示された方法を実施するために、プロセッサ１４０３によって実行可能とすることができる。命令１４０９の実行は、メモリ１４０５内に記憶されたデータ１４０７の使用を必要とすることがある。プロセッサ１４０３が命令１４０９を実行するとき、命令の様々な部分１４０９ａをプロセッサ１４０３上にロードすることができ、データの様々な部分１４０７ａをプロセッサ１４０３上にロードすることができる。
【００９２】
ワイヤレス通信デバイス１４１４は、ワイヤレス通信デバイス１４１４への信号の送信およびワイヤレス通信デバイス１４１４からの信号の受信を可能にするために、送信機１４１１および受信機１４１３も含むことができる。送信機１４１１および受信機１４１３は、一括してトランシーバ１４１５と呼ばれることがある。第１のアンテナ１４１７ａおよび第２のアンテナ１４１７ｂをトランシーバ１４１５に電気的に結合することができる。ワイヤレス通信デバイス１４１４は、（図示されていない）複数の送信機、複数の受信機、複数のトランシーバ、および／または追加のアンテナも含むことができる。
【００９３】
ワイヤレス通信デバイス１４１４の様々なコンポーネントは、１つまたは複数のバスによって互いに結合することができ、バスは、電力バス、制御信号バス、ステータス信号バス、データバスなどを含むことができる。明瞭にするため、図１４では、様々なバスは、バスシステム１４１９として示されている。
【００９４】
本明細書で説明された技法は、直交多重方式に基づいた通信システムを含む、様々な通信システムに対して使用することができる。そのような通信システムの例は、直交周波数分割多元接続（ＯＦＤＭＡ）システム、単一搬送波周波数分割多元接続（ＳＣ−ＦＤＭＡ）システムなどを含む。ＯＦＤＭＡシステムは、直交周波数分割多重（ＯＦＤＭ）を利用し、ＯＦＤＭは、全システム帯域幅を複数の直交サブキャリアに区分する変調技法である。これらのサブキャリアは、トーン、ビンなどとも呼ばれることがある。ＯＦＤＭの場合、データを用いて、各サブキャリアを独立に変調することができる。ＳＣ−ＦＤＭＡシステムは、システム帯域幅にわたって分散するサブキャリア上で送信が行われるインタリーブＦＤＭＡ（ＩＦＤＭＡ：interleaved FDMA）、隣接サブキャリアからなるブロック上で送信が行われる局所的ＦＤＭＡ（ＬＦＤＭＡ：localized FDMA）、または隣接サブキャリアからなる複数のブロック上で送信が行われる高度ＦＤＭＡ（ＥＦＤＭＡ：enhanced FDMA）を利用することができる。一般に、変調シンボルは、ＯＦＤＭの場合は周波数領域で送信され、ＳＣ−ＦＤＭＡの場合は時間領域で送信される。
【００９５】
「決定する」という言葉は、広範な行為を包含し、したがって、「決定する」は、算出すること、計算すること、処理すること、導出すること、調査すること、検索すること（例えば、テーブル、データベース、または別のデータ構造を検索すること）、および確認することなどを含むことができる。また、「決定する」は、受け取ること（例えば、情報を受け取ること）、およびアクセスすること（例えば、メモリ内のデータにアクセスすること）などを含むことができる。また、「決定する」は、解決すること、選択すること、選出すること、および確立することなどを含むことができる。
【００９６】
「〜に基づく」という語句は、別途明示的に指摘されない限り、「にのみ基づく」を意味しない。言い換えると、「〜に基づく」という語句は、「〜にのみ基づく」と「〜に少なくとも基づく」の両方を言い表している。
【００９７】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、および状態機械などを包含するものと広く解釈されるべきである。ある状況下では、「プロセッサ」は、特定用途向け集積回路（ＡＳＩＣ）、プログラム可能論理回路（ＰＬＤ）、フィールドプログラマブルゲートアレイ（ＦＰＧＡ）などを指すことができる。「プロセッサ」という用語は、例えば、ＤＳＰとマイクロプロセッサの組み合わせ、複数のマイクロプロセッサ、ＤＳＰコアと連携する１つもしくは複数のマイクロプロセッサ、または他の任意のそのような構成など、処理デバイスの組み合わせを指すことができる。
【００９８】
「メモリ」という用語は、電子情報を記憶することが可能な任意の電子コンポーネントを包含するものと広く解釈されるべきである。メモリという用語は、ランダムアクセスメモリ（ＲＡＭ）、リードオンリメモリ（ＲＯＭ）、不揮発性ランダムアクセスメモリ（ＮＶＲＡＭ）、プログラム可能リードオンリメモリ（ＰＲＯＭ）、消去可能なプログラム可能リードオンリメモリ（ＥＰＲＯＭ）、電気的に消去可能なプログラム可能リードオンリメモリ（ＥＥＰＲＯＭ）、フラッシュメモリ、磁気または光データ記憶、レジスタなど、様々なタイプのプロセッサ可読媒体を指すことができる。プロセッサがメモリから情報を読み取ることができ、および／またはメモリに情報を書き込むことができる場合、メモリは、プロセッサと電子通信していると言われる。プロセッサに統合されたメモリは、プロセッサと電子通信している。
【００９９】
「命令」および「コード」という用語は、任意のタイプのコンピュータ可読ステートメントを含むものと広く解釈されるべきである。例えば、「命令」および「コード」という用語は、１つまたは複数のプログラム、ルーチン、サブルーチン、関数、プロシージャなどを指すことができる。「命令」および「コード」は、単一のコンピュータ可読ステートメントまたは多数のコンピュータ可読ステートメントを備えることができる。
【０１００】
本明細書で説明された機能は、ハードウェアによって実行されているソフトウェアまたはファームウェアで実施することができる。機能は、１つまたは複数の命令としてコンピュータ可読媒体上に記憶することができる。「コンピュータ可読媒体」または「コンピュータプログラム製品」という用語は、コンピュータまたはプロセッサによってアクセスできる任意の有形な記憶媒体を指す。限定することなく例を挙げると、コンピュータ可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または命令もしくはデータ構造の形態で所望のプログラムコードを搬送もしくは記憶するために使用でき、コンピュータによってアクセスできる他の任意の媒体を備えることができる。本明細書で使用される場合、ディスク（ｄｉｓｋおよびｄｉｓｃ）は、コンパクトディスク（ＣＤ）、レーザディスク、光ディスク、デジタル多用途ディスク（ＤＶＤ）、フロッピディスク、およびブルーレイ（登録商標）ディスクを含み、ｄｉｓｋは、通常磁気的にデータを再生し、ｄｉｓｃは、レーザを用いて光学的にデータを再生する。
【０１０１】
本明細書で開示された方法は、説明された方法を達成するための１つまたは複数のステップまたはアクションを備える。方法のステップおよび／またはアクションは、特許請求の範囲から逸脱することなく、互いに交換することができる。言い換えると、ステップまたはアクションの特定の順序が、説明されている方法の適切な動作のために必要とされない限り、特定のステップおよび／またはアクションの順序および／または使用は、特許請求の範囲から逸脱することなく、変更することができる。
【０１０２】
さらに、図２、図８、および図１０〜図１１によって説明された方法など、本明細書で説明された方法および技法を実行するためのモジュールおよび／または他の適切な手段は、デバイスによってダウンロードおよび／または他の方法で獲得できることを理解されたい。例えば、デバイスは、本明細書で説明された方法を実行するための手段の転送を容易にするために、サーバに結合することができる。代替として、本明細書で説明された様々な方法は、記憶手段をデバイスに結合または提供したときに、デバイスが様々な方法を獲得できるように、記憶手段（例えば、ランダムアクセスメモリ（ＲＡＭ）、リードオンリメモリ（ＲＯＭ）、コンパクトディスク（ＣＤ）またはフロッピディスクなどの物理記憶媒体など）を介して提供することができる。
【０１０３】
特許請求の範囲は、上で説明された通りの構成およびコンポーネントに限定されないことを理解されたい。特許請求の範囲から逸脱することなく、本明細書で説明されたシステム、方法、および装置の構成、動作、および細部に、様々な修正、変更、および変形を施すことができる。
以下出願当初に特許請求の範囲に記載されていた請求項を付記する。
（１）基地局による自己同期のための方法であって、
ワイヤレス通信デバイスにネットワーク情報を送信することと、ここで前記ネットワーク情報が第１の期間を示し、前記第１の期間が前記基地局によるサイレンスの期間であり、
前記第１の期間の間に同期信号を監視することを備え、ここで同期信号を監視することは送信を行わない、
自己同期のための方法。
（２）前記基地局が現在の階層を有し、前記方法は、第２の期間に同期信号を送信することを更に備え、ここで前記第２の期間が前記現在の階層以下の階層を有する基地局が同期信号を送信するために指定されたスロットを備える、（１）に記載の方法。
（３）前記第１の期間が、前記現在の階層以下の階層を有する基地局が同期信号を監視するために指定されたスロットを備える、（１）に記載の方法。
（４）前記ネットワーク情報が、マルチメディアブロードキャスト単一周波数ネットワーク（ＭＢＳＦＮ）サブフレーム宣言を備える、（１）に記載の方法。
（５）同期ノードから共通参照信号（ＣＲＳ）を受信することであって、前記基地局が、トラッキングのために前記ＣＲＳを使用する、受信することをさらに備える、（４）に記載の方法。
（６）前記基地局が現在の階層を有し、前記方法が、前記現在の階層より上の階層のためのＭＢＳＦＮとして宣言されたサブフレームにおいて共通参照信号（ＣＲＳ）を送信することを更に備え、ここでＭＢＳＦＮとして宣言された前記サブフレームが第２の期間を備える、（４）に記載の方法。
（７）  前記基地局が現在の階層を有し、前記方法が、前記現在の階層以下の階層のためのＭＢＳＦＮとして宣言されたサブフレームにおいて共通参照信号（ＣＲＳ）をトラッキングすることを更に備える、（４）に記載の方法。
（８）同期信号をサーチすることと、
前記同期信号が獲得されたかどうかを決定することと、
前記同期信号が獲得された場合、前記同期信号に基づいて、現在の階層を決定することと
をさらに備える、（１）に記載の方法。
（９）前記ネットワーク情報が、前記サイレンスの期間の間、不連続受信（ＤＲＸ）モードに入るよう前記１つまたは複数のワイヤレス通信デバイスに命令するメッセージを備える、（１）に記載の方法。
（１０）前記ネットワーク情報が、前記ワイヤレス通信デバイスのためのスリープ時間を備える、（９）に記載の方法。
（１１）前記ネットワーク情報が、前記基地局が自己同期を実行しているときの１つまたは複数のサブフレームを識別することを備える、（１）に記載の方法。
（１２）前記ネットワーク情報がサブフレームインデックスを備え、ここで前記サブフレームインデックスが、前記基地局が自己同期を実行しているときの１つまたは複数のサブフレームを暗黙的に示している、（１）に記載の方法。
（１３）前記同期信号が、同期ソースによって送信される、（１）に記載の方法。
（１４）同期信号を監視することが、同期ソースを時間トラッキングすることを備える、（１）に記載の方法。
（１５）前記同期ソースを時間トラッキングしている間、周波数誤差補正を実行することをさらに備える、（１４）に記載の方法。
（１６）前記ネットワーク情報を送信することが、ディープフェードを模擬するために、電力を徐々に減少させ、次に前記電力を徐々に増加させることを備える、（１）に記載の方法。
（１７）前記ネットワーク情報がスケジューリング情報を備え、ここで前記スケジューリング情報は、共通参照信号（ＣＲＳ）が送信されていないサブフレーム内およびその周辺における前記ワイヤレス通信デバイスに対するスケジュールされた送信を備えていない、（１）に記載の方法。
（１８）前記ネットワーク情報を送信することが、スロットの最後の２つの直交周波数分割多重（ＯＦＤＭ）シンボル上のプライマリ同期信号（ＰＳＳ）を使用して自己同期を達成しながら、同時に前記ワイヤレス通信デバイスに共通参照信号（ＣＲＳ）を送信することを備える、（１）に記載の方法。
（１９）前記ネットワーク情報を送信することが、スロットの最後の２つの直交周波数分割多重（ＯＦＤＭ）シンボル上のセカンダリ同期信号（ＳＳＳ）を使用して自己同期を達成しながら、同時に前記ワイヤレス通信デバイスに共通参照信号（ＣＲＳ）を送信することを備える、（１）に記載の方法。
（２０）前記基地局が、宅内進化型ノードＢ（ＨｅＮＢ）である、（１）に記載の方法。
（２１）前記ワイヤレス通信デバイスが、レガシユーザ機器（ＵＥ）である、（１）に記載の方法。
（２２）前記サイレンスの期間が、ネットワークによって調整される、（１）に記載の方法。
（２３）自己同期のために構成されたワイヤレスデバイスであって、
プロセッサと、
前記プロセッサと電子通信するメモリと、
前記メモリ内に記憶された命令であって、前記命令は、前記プロセッサによって実行可能であり、
ワイヤレス通信デバイスにネットワーク情報を送信することと、ここで前記ネットワーク情報が第１の期間を示し、前記第１の期間が前記基地局によるサイレンスの期間であり、
前記第１の期間の間に同期信号を監視し、ここで同期信号を監視することは送信を行わないための、命令である
ワイヤレスデバイス。
（２４）前記基地局が現在の階層を有し、ここで前記命令が、第２の期間において同期信号を送信することをさらに実行可能であり、前記第２の期間が前記現在の階層以下の階層を有する基地局が同期信号を送信するために指定されたスロットを備える、
（２３）に記載のワイヤレスデバイス。
（２５）前記第１の期間が、前記現在の階層以下の階層を有する基地局が同期信号を監視するために指定されたスロットを備える、（２３）に記載のワイヤレスデバイス。
（２６）前記ネットワーク情報が、マルチメディアブロードキャスト単一周波数ネットワーク（ＭＢＳＦＮ）サブフレーム宣言を備える、（２３）に記載のワイヤレスデバイス。
（２７）前記命令が、同期ノードから共通参照信号（ＣＲＳ）を受信することを更に実行可能であり、ここで前記ワイヤレスデバイスはトラッキングのために前記ＣＲＳを使用する、請求項２６に記載のワイヤレスデバイス。
（２８）前記ワイヤレスデバイスが現在の階層を有し、ここで前記命令が、前記現在の階層より上の階層のためのＭＢＳＦＮとして宣言されたサブフレームにおいて共通参照信号（ＣＲＳ）を送信することを更に実行可能であり、ここで、ＭＢＳＦＮとして宣言された前記サブフレームは第２の期間を備えている、（２６）に記載のワイヤレスデバイス。
（２９）前記ワイヤレスデバイスが現在の階層を有し、ここで前記命令が、前記現在の階層以下の階層のためのＭＢＳＦＮとして宣言されたサブフレームにおいて共通参照信号（ＣＲＳ）をトラッキングすることをさらに実行可能である、（２６）に記載のワイヤレスデバイス。
（３０）前記命令が、
同期信号をサーチすることと、
前記同期信号が獲得されたかどうかを決定することと、
前記同期信号が獲得された場合、前記同期信号に基づいて、現在の階層を決定することと
をさらに実行可能である、（２３）に記載のワイヤレスデバイス。
（３１）前記ネットワーク情報が、前記サイレンスの期間の間、不連続受信（ＤＲＸ）モードに入るよう前記１つまたは複数のワイヤレス通信デバイスに命令するメッセージを備える、（２３）に記載のワイヤレスデバイス。
（３２）前記ネットワーク情報が、前記ワイヤレス通信デバイスのためのスリープ時間を備える、請求項３１に記載のワイヤレスデバイス。
（３３）前記ネットワーク情報が、前記ワイヤレスデバイスが自己同期を実行しているときの１つまたは複数のサブフレームを識別することを備える、（２３）に記載のワイヤレスデバイス。
（３４）前記ネットワーク情報がサブフレームインデックスを備え、ここで前記サブフレームインデックスは、前記ワイヤレスデバイスが自己同期を実行しているときの１つまたは複数のサブフレームを暗黙的に示す、（２３）に記載のワイヤレスデバイス。
（３５）前記同期信号が、同期ソースによって送信される、（２３）に記載のワイヤレスデバイス。
（３６）同期信号を監視することが、同期ソースを時間トラッキングすることを備える、（２３）に記載のワイヤレスデバイス。
（３７）前記命令が、前記同期ソースを時間トラッキングしている間、周波数誤差補正を実行することをさらに実行可能である、（３６）に記載のワイヤレスデバイス。
（３８）前記ネットワーク情報を送信することが、ディープフェードを模擬するために、電力を徐々に減少させ、次に前記電力を徐々に増加させることを備える、（２３）に記載のワイヤレスデバイス。
（３９）前記ネットワーク情報が、スケジューリング情報を備え、前記スケジューリング情報が、共通参照信号（ＣＲＳ）が送信されないサブフレーム内およびその周辺において前記ワイヤレス通信デバイスへのスケジュールされた送信を備えない、（２３）に記載のワイヤレスデバイス。
（４０）前記ネットワーク情報を送信することが、スロットの最後の２つの直交周波数分割多重（ＯＦＤＭ）シンボル上のプライマリ同期信号（ＰＳＳ）を使用して自己同期を達成しながら、同時に前記ワイヤレス通信デバイスに共通参照信号（ＣＲＳ）を送信することを備える、（２３）に記載のワイヤレスデバイス。
（４１）前記ネットワーク情報を送信することが、スロットの最後の２つの直交周波数分割多重（ＯＦＤＭ）シンボル上のセカンダリ同期信号（ＳＳＳ）を使用して自己同期を達成しながら、同時に前記ワイヤレス通信デバイスに共通参照信号（ＣＲＳ）を送信することを備える、（２３）に記載のワイヤレスデバイス。
（４２）前記ワイヤレスデバイスが、宅内進化型ノードＢ（ＨｅＮＢ）である、（２３）に記載のワイヤレスデバイス。
（４３）前記ワイヤレス通信デバイスが、レガシユーザ機器（ＵＥ）である、（２３）に記載のワイヤレスデバイス。
（４４）前記サイレンスの期間が、ネットワークによって調整される、（１）に記載のワイヤレスデバイス。
（４５）自己同期のために構成されたワイヤレスデバイスであって、
ワイヤレス通信デバイスにネットワーク情報を送信するための手段であって、前記ネットワーク情報が、第１の期間を示し、前記第１の期間が、基地局によるサイレンスの期間である、手段と、
前記第１の期間の間、同期信号を監視するための手段であって、同期信号の監視することは送信を行わない、手段と
を備えるワイヤレスデバイス。
（４６）前記基地局が現在の階層を有し、前記ワイヤレスデバイスが、第２の期間において同期信号を送信するための手段であって、前記第２の期間が、前記現在の階層以下の階層を有する基地局が同期信号を送信するために指定されたスロットを備えている手段をさらに備える、（４５）に記載のワイヤレスデバイス。
（４７）前記第１の期間が、前記現在の階層以下の階層を有する基地局が同期信号を監視するために指定されたスロットを備える、請求項４５に記載のワイヤレスデバイス。
（４８）前記ネットワーク情報が、マルチメディアブロードキャスト単一周波数ネットワーク（ＭＢＳＦＮ）サブフレーム宣言を備える、（４５）に記載のワイヤレスデバイス。
（４９）基地局による自己同期のためのコンピュータプログラム製品であって、命令を有するコンピュータ可読媒体を備え、前記命令が、
ワイヤレス通信デバイスにネットワーク情報を送信するためのコードであって、前記ネットワーク情報が、第１の期間を示し、前記第１の期間が、基地局によるサイレンスの期間である、コードと、
前記第１の期間の間、同期信号を監視するためのコードであって、同期信号の監視が、送信しないことを備える、コードと
を備える、コンピュータプログラム製品。
（５０）前記基地局が、現在の階層を有し、前記命令が、第２の期間において同期信号を送信するためのコードであって、前記第２の期間が、前記現在の階層以下の階層を有する基地局が同期信号を送信するために指定されたスロットを備える、コードをさらに備える、（４９）に記載のコンピュータプログラム製品。
（５１）前記第１の期間が、前記現在の階層以下の階層を有する基地局が同期信号を監視するために指定されたスロットを備える、（４９）に記載のコンピュータプログラム製品。
（５２）前記ネットワーク情報が、マルチメディアブロードキャスト単一周波数ネットワーク（ＭＢＳＦＮ）サブフレーム宣言を備える、（４９）に記載のコンピュータプログラム製品。
【図１】
0005599867.tif 000002
【図２】
0005599867.tif 000003
【図３】
0005599867.tif 000004
【図４】
0005599867.tif 000005
【図５】
0005599867.tif 000006
【図６】
0005599867.tif 000007
【図７】
0005599867.tif 000008
【図８】
0005599867.tif 000009
【図９】
0005599867.tif 000010
【図１０】
0005599867.tif 000011
【図１１】
0005599867.tif 000012
【図１２】
0005599867.tif 000013
【図１３】
0005599867.tif 000014
【図１４】
0005599867.tif 000015